(57)【要約】【課題】ろ過精度を調整することが可能なろ過装置を提供する。【解決手段】ろ過装置１は、  被ろ過液ＬＸが処理されるろ過領域ＦＡより大きいサイズを有し、第１の方向ｘに平行な一対の端辺１０Ｘ、１０Ｙと第２の方向ｙに平行な一対の端辺とを有する略矩形状の伸縮自在なメッシュフィルタ１０と、メッシュフィルタ１０に当接してメッシュフィルタ１０の第１の方向ｘのろ過領域ＦＡの範囲を規定し、かつメッシュフィルタ１０の第１の方向ｘの伸縮を調整することが可能な一対の第１のろ過領域規定部材２１Ａ、２１Ｂと、メッシュフィルタ１０に当接してメッシュフィルタ１０の第２の方向ｙのろ過領域ＦＡの範囲を規定し、メッシュフィルタ１０の伸縮に応じてメッシュフィルタ１０に追随することが可能な一対の第２のろ過領域規定部材２２Ａ、２２Ｂとを備える。【選択図】図１
2015073967.tif 000002
【特許請求の範囲】
【請求項１】
被ろ過液が処理されるろ過領域より大きいサイズを有し、第１の方向に平行な一対の端辺と第２の方向に平行な一対の端辺とを有する略矩形状の伸縮自在なメッシュフィルタと、
前記メッシュフィルタに当接して前記メッシュフィルタの前記第１の方向の前記ろ過領域の範囲を規定し、かつ前記メッシュフィルタの前記第１の方向の伸縮を調整することが可能な一対の第１のろ過領域規定部材と、
前記メッシュフィルタに当接して前記メッシュフィルタの前記第２の方向のろ過領域の範囲を規定し、前記メッシュフィルタの前記伸縮に応じて前記メッシュフィルタに追随することが可能な一対の第２のろ過領域規定部材とを備えたろ過装置。
【発明の詳細な説明】
【技術分野】
【０００１】
本発明は、ろ過装置に関するものである。
【背景技術】
【０００２】
種々の工程でろ過装置（フィルタ装置）が使用される。
特許文献１には、２つのローラ（４２ａ，４２ｂ）に掛け渡されたロール状のフィルタ（４３）を一定の速度で送るフィルタ装置（４１）を備えたクーラント清浄装置（１０）が開示されている（段落００２２、図１）。
特許文献１に記載のクーラント清浄装置（１０）では、２つのローラ（４２ａ，４２ｂ）に掛け渡されたロール状のフィルタ（４３）を一定の速度で送りながら、タンク（２１）内の被ろ過液を汲み上げてフィルタ（４３）の上面に掛け流し、フィルタ（４３）を透過したろ液をタンク（２１）内に戻している。
上記フィルタ装置（４１）において、使用済みのフィルタ（４３）は、ローラ（４２ｂ）に自動的に一定量が巻き取られ、ろ過面は毎回更新されるようになっている。
【先行技術文献】
【特許文献】
【０００３】
【特許文献１】特開2013-163249号公報
【発明の概要】
【発明が解決しようとする課題】
【０００４】
ある１つの製品を製造する際、複数の異なる工程でろ過装置が使用されることがある。
一般に、フィルタとしてはメッシュフィルタが用いられる。
ろ過精度はメッシュフィルタの目（開口部）の粗さにより決まるが、要求されるろ過精度はろ過装置が設置される工程ごとに異なるため、メッシュフィルタの汎用性がない。そのため、ろ過装置が設置される複数の工程に合わせてろ過精度の異なる複数種のメッシュフィルタを用意する必要があり、高コストである。また、メッシュフィルタの保管にスペースが取られてしまう。
【０００５】
メッシュフィルタのろ過精度が調整できれば、１種のメッシュフィルタで異なるろ過精度が要求される複数の異なる工程に対応可能となり、好ましい。
【０００６】
本発明は上記事情に鑑みてなされたものであり、ろ過精度を調整することが可能なろ過装置を提供することを目的とするものである。
【課題を解決するための手段】
【０００７】
本発明のろ過装置は、
被ろ過液が処理されるろ過領域より大きいサイズを有し、第１の方向に平行な一対の端辺と第２の方向に平行な一対の端辺とを有する略矩形状の伸縮自在なメッシュフィルタと、
前記メッシュフィルタに当接して前記メッシュフィルタの前記第１の方向の前記ろ過領域の範囲を規定し、かつ前記メッシュフィルタの前記第１の方向の伸縮を調整することが可能な一対の第１のろ過領域規定部材と、
前記メッシュフィルタに当接して前記メッシュフィルタの前記第２の方向のろ過領域の範囲を規定し、前記メッシュフィルタの前記伸縮に応じて前記メッシュフィルタに追随することが可能な一対の第２のろ過領域規定部材とを備えたものである。
【発明の効果】
【０００８】
本発明によれば、ろ過精度を調整することが可能なろ過装置を提供することができる。
【図面の簡単な説明】
【０００９】
【図１】本発明に係る一実施形態のろ過装置の模式上面図である。
【図２】図１のろ過装置の模式側面図である。
【図３】メッシュフィルタの伸縮の様子を示す模式上面図である。
【発明を実施するための形態】
【００１０】
「ろ過装置」
図１〜図３を参照して、本発明に係る一実施形態のろ過装置の構成について説明する。
【００１１】
図１に示すように、
本実施形態のろ過装置１は、
被ろ過液ＬＸが処理されるろ過領域ＦＡより大きいサイズを有し、第１の方向ｘに平行な一対の端辺１０Ｘ、１０Ｙと第２の方向ｙに平行な一対の端辺とを有する略矩形状の伸縮自在なメッシュフィルタ１０を備える。
本実施形態において、メッシュフィルタ１０は平面視帯状であり、ろ過装置１は、メッシュフィルタ１０を送り出す送出しローラ３１と、メッシュフィルタ１０を巻き取る巻取りローラ３２とを備える。
本実施形態において、第１の方向ｘはメッシュフィルタ１０の送り方向であり、第２の方向ｙはメッシュフィルタ１０の幅方向である。
【００１２】
本実施形態のろ過装置１はまた、
メッシュフィルタ１０に当接してメッシュフィルタ１０の第１の方向ｘのろ過領域ＦＡの範囲を規定する第１のろ過領域規定部材２１Ａ、２１Ｂを備える。
本実施形態において、一対の第１のろ過領域規定部材２１Ａ、２１Ｂはメッシュフィルタ１０の第２の方向ｙに対して平行方向に延びたローラである。
メッシュフィルタ１０において、一対の第１のろ過領域規定部材２１Ａ、２１Ｂ間に張り渡された範囲が、メッシュフィルタ１０の第１の方向ｘのろ過領域ＦＡの範囲となる。
本実施形態において、一対の第１のろ過領域規定部材２１Ａ、２１Ｂは、第１の方向ｘに移動可能とされている。
これにより、一対の第１のろ過領域規定部材２１Ａ、２１Ｂ間のメッシュフィルタ１０の第１の方向ｘの長さＬが調整されて、メッシュフィルタ１０の第１の方向ｘの伸縮の度合が調整されるようになっている。
【００１３】
本実施形態のろ過装置１はまた、
メッシュフィルタ１０に当接してメッシュフィルタ１０の第２の方向ｙのろ過領域ＦＡの範囲を規定する一対の第２のろ過領域規定部材２２Ａ、２２Ｂを備える。
本実施形態において、一対の第２のろ過領域規定部材２２Ａ、２２Ｂは、メッシュフィルタ１０の第１の方向ｘに対して平行方向に延びた部材であり、メッシュフィルタ１０の第１の方向ｘに平行な一対の端辺１０Ｘ、１０Ｙに固定されている。
一対の第２のろ過領域規定部材２２Ａ、２２Ｂの形態は制限なく、たとえば角材である。
一対の第２のろ過領域規定部材２２Ａ、２２Ｂは、メッシュフィルタ１０と反対側が第２の方向ｙに伸縮可能な伸縮部材２３に接続され、メッシュフィルタ１０の第２の方向ｙに移動自在とされている。これにより一対の第２のろ過領域規定部材２２Ａ、２２Ｂは、メッシュフィルタ１０の幅Ｗの変化に応じて、メッシュフィルタ１０に追随できるようになっている。
なお、メッシュフィルタ１０と一対の第２のろ過領域規定部材２２Ａ、２２Ｂとは完全固定されておらず、シール材を介して液密に互いに着脱自在に固定される。
【００１４】
ろ過装置１には必要に応じて、送出しローラ３１、巻取りローラ３２、第１のろ過領域規定部材２１Ａ、２１Ｂの他に、メッシュフィルタ１０の搬送を補助する１つまたは複数の搬送用ローラＲが備えられる。
【００１５】
ろ過装置１はまた、
ろ過装置１内に被ろ過液ＬＸを導入する配管５１と、
配管５１に接続され、メッシュフィルタ１０のろ過領域ＦＡに被ろ過液ＬＸを放出する液ノズル５２と、
メッシュフィルタ１０を透過して清浄化された液であるろ液ＬＹが流入する液槽５３と、
液槽５３内のろ液ＬＹをくみ上げるポンプ５４と、
ろ液ＬＹを排出する配管５５とを備える。
被ろ過液ＬＸの供給経路とろ液ＬＹの排出経路については、適宜設計変更が可能である。
【００１６】
図３にメッシュフィルタ１０の伸縮の様子を示す。
メッシュフィルタ１０は、平面視で、一方向に延びる複数の細線１１と、一方向と角度θをなす他方向に延びる複数の細線１２とが互いに交差した構造を有する。
任意の２本の細線１１と任意の２本の細線１２とで囲まれた部分が１つのメッシュ開口部（目）１０Ａとなっている。
ここで、メッシュ開口部１０Ａの第１の方向ｘのピッチをＰとし、メッシュ開口部１０Ａの面積をＳとする。面積Ｓはメッシュフィルタ１０の目の大きさである。
細線１１および細線１２は緩んでいる場合もあるが、細線１１および細線１２がいずれも直線状に延びていると仮定した場合、面積Ｓは下記式（１）で表される。
Ｓ＝Ｐ２／２ｔａｎθ・・・（１）
上記式から分かるように、メッシュ開口部１０Ａの面積Ｓは、角度θのｔａｎ成分に反比例するので、角度θが大きくなれば、面積Ｓ（目の大きさ）は小さくなる。
図３の上図の状態から下図のようにメッシュフィルタ１０が第１の方向ｘに引き伸ばされて長さＬが長くなると、角度θが大きくなり、面積Ｓ（目の大きさ）は小さくなる。
【００１７】
図３の上図の状態から下図のようにメッシュフィルタ１０が第１の方向ｘに引き伸ばされた状態になると、幅Ｗは小さくなるので、上記したように、一対の第２のろ過領域規定部材２２Ａ、２２Ｂが、メッシュフィルタ１０の幅Ｗの変化に応じてメッシュフィルタ１０に追随する。これにより、メッシュフィルタ１０と一対の第２のろ過領域規定部材２２Ａ、２２Ｂとの間に隙間が生じることなく、被ろ過液ＬＸを確実に処理できる。上記したように、メッシュフィルタ１０と一対の第２のろ過領域規定部材２２Ａ、２２Ｂとをシール材を介して液密に固定することにより、被ろ過液ＬＸの漏れが抑制され、好ましい。シール材を用いた液密固定の態様については適宜設計できる。
【００１８】
ろ過装置１において、送出しローラ３１からのメッシュフィルタ１０の送出しは、ろ過運転中、連続的であってもよいし、非連続的であってもよい。使用済みのメッシュフィルタ１０は、適宜巻取りローラ３２に巻き取られ、被処理面は適宜更新される。
【００１９】
以上説明したように、本実施形態のろ過装置１では、メッシュフィルタ１０の伸縮を調整することできるので、メッシュフィルタ１０の目の大きさを調整し、ろ過精度を任意に調整することができる。
本実施形態のろ過装置１では、要求されるろ過精度に応じてメッシュフィルタ１０の目の大きさの調整が可能であるため、メッシュフィルタ１０の汎用性が高く、要求されるろ過精度の異なる工程ごとに専用のメッシュフィルタを用意することが不要となる。本実施形態のろ過装置１を用いることで、要求されるろ過精度の異なる工程があっても、メッシュフィルタの在庫種類を低減することが可能となる。基本的には１種で充分となる。その結果、低コスト化、およびメッシュフィルタ保管の省スペース化が可能となる。
【産業上の利用可能性】
【００２０】
本発明のろ過装置は、クーラント清浄装置等に好ましく利用できる。
【符号の説明】
【００２１】
１  ろ過装置
１０  メッシュフィルタ
１０Ａ  メッシュ開口部
１０Ｘ、１０Ｙ  メッシュフィルタの第１の方向に平行な端辺
１１、１２  細線
２１Ａ、２１Ｂ  第１のろ過領域規定部材
２２Ａ、２２Ｂ  第２のろ過領域規定部材
２３  伸縮部材
３１  送出しローラ
３２  巻取りローラ
５１、５５  配管
５２  液ノズル
５３  液槽
５４  ポンプ
ＦＡ  ろ過領域
ＬＸ  被ろ過液
ＬＹ  ろ液
Ｌ  長さ
Ｗ  幅
Ｓ  開口部の面積
ｘ  第１の方向
ｙ  第２の方向
θ  角度
【図１】
2015073967.tif 000003
【図２】
2015073967.tif 000004
【図３】
2015073967.tif 000005